(57)【要約】【課題】津波によりゲートが外れたり破損したりしにくく、ゲートの設置費用を低減することができる防波堤を提供する。【解決手段】開口部１２が、波の進行方向に対して垂直方向を向くよう設けられている。ゲート１３が、閉じたとき陸側に波が入るのを防ぐよう、開口部１２を開閉可能に設けられている。ゲート１３は、開口部１２の海側の側縁に設けられた回転軸を中心として、開口部１２より海側で波の進行方向に対して垂直を成す開放位置と、開口部１２を閉じる閉鎖位置との間で回転して開口部１２を開閉する開き戸から成っている。受信手段が、外部からの制御信号を受信するよう構成されている。固定手段が、常態でゲート１３を開放位置に固定可能に設けられ、受信手段で受信した制御信号により、ゲート１３の開放位置への固定を解除するよう構成されている。【選択図】図１
2014133978.tif 000002
【特許請求の範囲】
【請求項１】
波の進行方向に対して垂直方向を向くよう設けられた開口部と、
閉じたとき陸側に前記波が入るのを防ぐよう、前記開口部を開閉可能に設けられたゲートとを、
有することを特徴とする防波堤。
【請求項２】
前記ゲートは、前記開口部の海側の側縁に設けられた回転軸を中心として、前記開口部より海側で前記波の進行方向に対して垂直を成す開放位置と、前記開口部を閉じる閉鎖位置との間で回転して、前記開口部を開閉する開き戸から成り、常態で前記開放位置に位置付けられるよう構成されていることを特徴とする請求項１記載の防波堤。
【請求項３】
外部からの制御信号を受信する受信手段と、
常態で前記ゲートを前記開放位置に固定可能に設けられ、前記受信手段で受信した制御信号により、前記ゲートの前記開放位置への固定を解除するよう構成された固定手段とを、
有することを特徴とする請求項２記載の防波堤。
【請求項４】
前記ゲートを前記開放位置から前記閉鎖位置に移動可能に付勢する付勢手段を有することを特徴とする請求項３記載の防波堤。
【請求項５】
前記ゲートは、前記開口部に沿ってスライドして前記開口部を開閉する引き戸、または、前記開口部の陸側の側縁に設けられた回転軸を中心として、前記開口部より海側で回転して前記開口部を開閉する開き戸から成ることを特徴とする請求項１記載の防波堤。
【請求項６】
外部からの制御信号を受信する受信手段を有し、
前記ゲートは前記受信手段で受信した制御信号により電動で開閉するよう構成されていることを
特徴とする請求項５記載の防波堤。
【請求項７】
前記ゲートを駆動する電気を供給するための太陽光発電装置または風力発電装置を有することを特徴とする請求項６記載の防波堤。
【発明の詳細な説明】
【技術分野】
【０００１】
本発明は、防波堤に関する。
【背景技術】
【０００２】
従来、津波を防ぐために海岸に設けられた防波堤では、防波堤の陸側と海側とに人や車が自由に出入りできるよう、海に向いた開口部が設けられている。開口部には、津波が陸側に入り込むのを防ぐよう、引き戸や開き戸などの封鎖用のゲートが設けられている（例えば、特許文献１または２参照）。
【先行技術文献】
【特許文献】
【０００３】
【特許文献１】特開２００２−２９４６７６号公報
【特許文献２】特開２００１−３４８８４５号公報
【発明の概要】
【発明が解決しようとする課題】
【０００４】
特許文献１および２に記載のような従来の防波堤では、開口部が海に向いているため、閉じたゲートに正面から直接津波が当たり、ゲートが外れたり破損したりしやすいという課題があった。ゲートが破損しないようにするためには、ゲート自体やゲートの取付構造を頑丈にする必要があり、ゲートの設置費用が嵩むという課題もあった。
【０００５】
本発明は、このような課題に着目してなされたもので、津波によりゲートが外れたり破損したりしにくく、ゲートの設置費用を低減することができる防波堤を提供することを目的としている。
【課題を解決するための手段】
【０００６】
上記目的を達成するために、本発明に係る防波堤は、波の進行方向に対して垂直方向を向くよう設けられた開口部と、閉じたとき陸側に前記波が入るのを防ぐよう、前記開口部を開閉可能に設けられたゲートとを、有することを特徴とする。
【０００７】
本発明に係る防波堤は、津波の襲来前または襲来時に開口部をゲートで閉じることにより、津波が陸側に入り込むのを防ぐようになっている。開口部が波の進行方向に対して垂直方向を向くよう設けられているため、津波が襲来したとき、開口部を閉じたゲートに津波が直接当たらず、津波によりゲートが外れたり破損したりしにくくなっている。また、ゲートに津波が直接当たる場合と比べて、ゲートの強度などを低く抑えることができ、ゲートの設置費用を低減することができる。ゲートは、手動で開閉可能であってもよい。
【０００８】
本発明に係る防波堤で、前記ゲートは、前記開口部の海側の側縁に設けられた回転軸を中心として、前記開口部より海側で前記波の進行方向に対して垂直を成す開放位置と、前記開口部を閉じる閉鎖位置との間で回転して、前記開口部を開閉する開き戸から成り、常態で前記開放位置に位置付けられるよう構成されていてもよい。この場合、開放位置のゲートが陸側に回転することにより閉鎖位置に移動するため、津波が襲来したとき、津波の力でゲートを押して開口部を閉じることができる。また、津波が押し寄せている最中には、海側の水圧でゲートが陸側に押されて閉鎖位置に保持されるため、津波が陸側に入り込むのを効果的に防ぐことができる。
【０００９】
また、この海側の回転軸で開き戸が回転して開閉する場合、外部からの制御信号を受信する受信手段と、常態で前記ゲートを前記開放位置に固定可能に設けられ、前記受信手段で受信した制御信号により、前記ゲートの前記開放位置への固定を解除するよう構成された固定手段とを、有することが好ましい。このとき、津波の襲来前または襲来時に制御信号を受信して固定手段による固定を解除することにより、津波の力や手動等で、ゲートを閉じることができる。制御信号を受信していない常態の時には、固定手段によりゲートを開放位置に固定しているため、人や車が開口部から自由に出入りすることができる。なお、外部からの制御信号は、例えば気象庁による緊急地震速報や津波警報などである。また、監視カメラを設置して遠隔地から監視を行い、津波を確認したときに送信手段で制御信号を送信するよう構成されていてもよい。
【００１０】
さらに、この固定手段を有する場合、前記ゲートを前記開放位置から前記閉鎖位置に移動可能に付勢する付勢手段を有していてもよい。これにより、固定手段による固定を解除したとき、付勢手段でゲートを自動的に閉じることができる。付勢手段は、例えばバネから成っている。
【００１１】
本発明に係る防波堤で、前記ゲートは、前記開口部に沿ってスライドして前記開口部を開閉する引き戸、または、前記開口部の陸側の側縁に設けられた回転軸を中心として、前記開口部より海側で回転して前記開口部を開閉する開き戸から成っていてもよい。この場合、ゲートは手動で開閉可能であってもよいが、外部からの制御信号を受信する受信手段を有し、前記ゲートは前記受信手段で受信した制御信号により電動で開閉するよう構成されていてもよい。このとき、津波の襲来前に制御信号を受信してゲートを自動で閉じることができる。なお、外部からの制御信号は、例えば気象庁による緊急地震速報や津波警報などである。また、監視カメラを設置して遠隔地から監視を行い、津波を確認したときに送信手段で制御信号を送信してゲートを閉じるよう構成されていてもよい。このとき、津波が発生していないときには、制御信号によりゲートの開閉を任意に操作することができる。
【００１２】
また、このゲートが電動で開閉する場合、前記ゲートを駆動する電気を供給するための太陽光発電装置または風力発電装置を有していてもよい。これにより、遠方から電線を引くことなく、開口部近傍で自動開閉システムを構成することができる。また、津波に先立つ地震で電力会社からの電気の供給が止まっても、ゲートの開閉を自動で行うことができる。余剰電力を確保しておき、夜間や天気の悪いとき、風のないときであってもゲートの開閉が行えるよう、太陽光発電装置または風力発電装置で発電した電気を一旦蓄えるための蓄電池を有していることが好ましい。
【発明の効果】
【００１３】
本発明によれば、津波によりゲートが外れたり破損したりしにくく、ゲートの設置費用を低減することができる防波堤を提供することができる。
【図面の簡単な説明】
【００１４】
【図１】本発明の実施の形態の防波堤を示す平面図である。
【図２】本発明の実施の形態の防波堤の、開き戸から成るゲートが反対向きに開閉する場合の変形例を示す平面図である。
【図３】本発明の実施の形態の防波堤の、ゲートが引き戸から成る場合の変形例を示す平面図である。
【発明を実施するための形態】
【００１５】
以下、図面に基づき、本発明の実施の形態について説明する。
図１乃至図３は、本発明の実施の形態の防波堤を示している。
図１に示すように、本発明の実施の形態の防波堤は、堤体１１と開口部１２とゲート１３と緊急避難誘導システム１４とを有している。
【００１６】
図１に示すように、堤体１１は、下部を地中に打ち込んだコンクリート杭を横方向に並べて形成される連続壁２１を、所定の間隔を開けて１対設置し、各連続壁２１の間に堤体用充填物２２を充填して形成されている。堤体１１は、海岸に沿って形成され、一部が堤体１１の幅よりも陸側に凹状に窪んで形成された出入口部１１ａを有している。出入口部１１ａは、窪んでいない隣の堤体１１の陸側の端部から、出入口部１１ａの奥にかけて、堤体１１の伸長方向に対して平行に向いた開口部１２を有している。すなわち、開口部１２は、海岸に向かって進んでくる波の進行方向に対して垂直方向を向くよう設けられている。堤体１１は、長さ方向に向いた端面にも連続壁２１が設けられている。
【００１７】
堤体１１は、堤体１１の上部に上がったり、堤体１１の上部から降りたりするための階段２３を有している。また、堤体１１は、出入口部１１ａの地面に、コンクリートが敷設されている。なお、堤体１１は、コンクリートブロックを積み重ねたものや、コンクリート擁壁から成るもの、堤体盛土の表面にコンクリート板等を敷設したものなど、津波を防ぐためのものであれば、いかなるものであってもよい。
【００１８】
また、堤体１１の連続壁２１は、複数のコンクリート杭を長さ方向に連結したものを、横方向に並べて形成されていてもよい。この場合、コンクリート杭を長さ方向に連結したものには、以下の構成のものを用いることができる。連結されたコンクリート杭のうち、一方のコンクリート杭の連結側の先端に、そのコンクリート杭を長さ方向に延長するよう円筒状の受け側補強バンドが取り付けられている。他方のコンクリート杭の連結側の先端に、円筒状の挿入側補強バンドが取り付けられている。挿入側補強バンドは、連結側の先端に受け側補強バンドに挿入可能な挿入部を有している。受け側補強バンドの連結側の先端から所定の間隔をあけた内周面には、受け側フランジ部が周方向に沿って内側に向かって突出して設けられている。挿入部の先端には、挿入側フランジ部が周方向に沿って内側に向かって突出して設けられている。他方のコンクリート杭の挿入部が、一方のコンクリート杭の受け側補強バンドに挿入されて固定されている。挿入部を受け側補強バンドに挿入したとき、挿入側フランジ部が受け側フランジ部に接している。挿入側フランジ部と受け側フランジ部とは、接着剤で固定されていることが好ましい。また、受け側補強バンドの外径がコンクリート杭の外径と同じであることが好ましい。
【００１９】
ゲート１３は、閉じたとき堤体１１の陸側に波が入るのを防ぐよう、開口部１２を開閉可能に設けられている。ゲート１３は、開口部１２の海側の側縁に設けられた回転軸を中心として、開口部１２より海側で波の進行方向に対して垂直を成す開放位置と、開口部１２を閉じる閉鎖位置との間で回転して開口部１２を開閉する開き戸から成っている。ゲート１３は、外部からの制御信号を受信する受信手段（図示せず）と、常態でゲート１３を開放位置に固定可能に設けられた固定手段（図示せず）とを有している。固定手段は、受信手段で受信した制御信号により、ゲート１３の開放位置への固定を解除するよう構成されている。なお、受信手段が受信する外部からの制御信号は、例えば気象庁による緊急地震速報や津波警報などである。また、監視カメラを設置して遠隔地から監視を行い、津波を確認したときに送信手段で制御信号を送信するよう構成されていてもよい。
【００２０】
緊急避難誘導システム１４は、堤体１１のコンクリート杭の上部に、堤体１１に沿って間隔を開けて複数設けられている。緊急避難誘導システム１４は、風力発電装置、太陽光発電装置、拡声誘導システム、防犯灯照明、住所表示灯、携帯電話充電装置などから成っている。風力発電装置や太陽光発電装置は、受信手段やゲート１３の固定手段等に電気を供給可能になっている。また、拡声誘導システム、防犯灯照明、住所表示灯、携帯電話充電装置は、受信手段が制御信号を受信したとき、作動するようになっている。なお、緊急避難誘導システム１４は、余剰電力を確保しておき、夜間や天気の悪いとき、風のないときであっても電気を供給可能に、太陽光発電装置または風力発電装置で発電した電気を一旦蓄えるための蓄電池を有していてもよい。
【００２１】
次に、作用について説明する。
本発明の実施の形態の防波堤は、津波が発生したとき、緊急地震速報や津波警報などによる制御信号を受信して固定手段による固定を解除することができる。固定手段が解除されていれば、開放位置のゲート１３が陸側に回転して閉鎖位置に移動可能であるため、津波が襲来したとき、津波の力でゲート１３を押して開口部１２を閉じることができる。なお、固定手段が解除された後、手動でゲート１３を閉じてもよい。開口部１２をゲート１３で閉じることにより、津波が陸側に入り込むのを防ぐことができる。また、津波が押し寄せている最中には、海側の水圧でゲート１３が陸側に押されて閉鎖位置に保持されるため、津波が陸側に入り込むのを効果的に防ぐことができる。
【００２２】
本発明の実施の形態の防波堤は、開口部１２が波の進行方向に対して垂直方向を向くよう設けられているため、開口部１２を閉じたゲート１３に津波が直接当たらず、津波によりゲート１３が外れたり破損したりしにくくなっている。また、ゲート１３に津波が直接当たる場合と比べて、ゲート１３の強度などを低く抑えることができ、ゲート１３の設置費用を低減することができる。本発明の実施の形態の防波堤は、制御信号を受信していない常態の時には、固定手段によりゲート１３を開放位置に固定しているため、人や車が開口部１２から自由に出入りすることができる。
【００２３】
なお、本発明の実施の形態の防波堤は、ゲート１３を開放位置から閉鎖位置に移動可能に付勢する付勢手段を有していてもよい。付勢手段は、バネなどから成る。この場合、固定手段による固定を解除したとき、付勢手段でゲート１３を自動的に閉じることができる。
【００２４】
また、図２に示すように、本発明の実施の形態の防波堤で、ゲート１３は、開口部１２の陸側の側縁に設けられた回転軸を中心として、開口部１２より海側で回転して開口部１２を開閉する開き戸から成り、受信手段で受信した制御信号により電動で開閉するよう構成されていてもよい。この場合、津波の襲来前に制御信号を受信してゲート１３を自動で閉じることができる。なお、ゲート１３は、手動で開閉してもよい。また、ゲート１３を自動で開閉するとき、ゲート１３が破損しないよう、開閉スピードを制御可能であることが好ましい。
【００２５】
また、図３に示すように、本発明の実施の形態の防波堤で、ゲート１３は、開口部１２に沿ってスライドして開口部１２を開閉する引き戸から成り、受信手段で受信した制御信号により電動で開閉するよう構成されていてもよい。この場合にも、津波の襲来前に制御信号を受信してゲート１３を自動で閉じることができる。
【００２６】
また、ゲート１３が電動で開閉する図２および図３に示す場合、ゲート１３を駆動する電気を、緊急避難誘導システム１４の太陽光発電装置や風力発電装置から供給するよう構成されていてもよい。この場合、遠方から電線を引くことなく、開口部１２の近傍で自動開閉システムを構成することができる。また、津波に先立つ地震で電力会社からの電気の供給が止まっても、ゲート１３の開閉を自動で行うことができる。
【符号の説明】
【００２７】
１１  堤体
１１ａ  出入口部
２１  連続壁
２２  堤体用充填物
２３  階段
１２  開口部
１３  ゲート
１４  緊急避難誘導システム
【図１】
2014133978.tif 000003
【図２】
2014133978.tif 000004
【図３】
2014133978.tif 000005